(57)【要約】【解決手段】  画像ディスプレイ装置（１４０）は、選択可能且つ取り外し可能に取り付けることのできる基部上の光源によって画像を照らす手段を提供している照明式絵画ランプの形態を取っている。望ましくは透明な材料（１４２）で取り囲まれている半透明材料（１４０）の基層を使って、画像を、光源（１１２）で照らされている２つの層の間に滑り込ませる。シートを使ってランプシェードを形成し、シートは、白熱電球の様な光源の周りの所定の位置に、取り付け基部（１０８）にねじ係合されている支持部によって保持されている。取り付け基部は、白熱電球（１７０）の概略下方でランプに取り付けられ、ランプシェード用の安定した支持部を形成している。本発明の画像ディスプレイ装置は、光源と、個人の好みに合わせて装飾されたランプシェードの様な製品によって画像を照らす魅力的且つ選択可能な手段を提供する。
2005527949.tif 000002
【特許請求の範囲】
【請求項１】
画像を照らすための画像ディスプレイ装置において、
前記画像ディスプレイ装置が前方に作動的に支持されている光源からの光を拡散させるための第１内側半透明層と、
前記第１内側半透明層と連結され近接して配置されている第２外側透明層と、を備えており、
前記第１内側層と前記第に２外側層の間に画像が配置され、前記画像は前記光源によって照らされている、画像ディスプレイ装置。
【請求項２】
前記第１内側層と第２外側層は、前記画像を挿入し、引き出す間隙を、両者の間に画定している、請求項１に記載の画像を照らすための画像ディスプレイ装置。
【請求項３】
前記第１内側層は、
約５０パーセント（５０％）の光の透過率を有する半透明のポリエステルシートを更に備えている、請求項１に記載の画像を照らすための画像ディスプレイ装置。
【請求項４】
前記第２外側層は、
透明なポリエステルシートを更に備えている、請求項１に記載の画像を照らすための画像ディスプレイ装置。
【請求項５】
前記第１内側層と前記第２外側層は下部で連結され接続部を形成して、前記画像が前記第１内側層と前記第２外側層の間を通って前記接続部を通り過ぎることのないよう保証している、請求項１に記載の画像を照らすための画像ディスプレイ装置。
【請求項６】
前記接続部は、折り返しを更に備えており、
前記折り返しは、前記第２外側層の下部伸張により形成され、折り返されて、前記第１内側層の下縁部を支えている、請求項５に記載の画像を照らすための画像ディスプレイ装置。
【請求項７】
前記接続部は、継目を更に備えており、
前記継目は、前記第１内側層の下部を前記第２外側層の下部に取り付けることによって形成されている、請求項５に記載の画像を照らすための画像ディスプレイ装置。
【請求項８】
支持部を更に備えており、
前記支持部は前記光源に連結されており、前記第１内側層と前記第２外側層を支持している、請求項１に記載の画像を照らすための画像ディスプレイ装置。
【請求項９】
前記支持部は、スポークを更に備えており、
前記スポークは、前記第１内側層と前記第２外側層に連結されている、請求項８に記載の画像を照らすための画像ディスプレイ装置。
【請求項１０】
前記第１内側層と前記第２外側層は、一部分が、前記スポークに選択可能に連結できるスリーブとして形成されている、請求項９に記載の画像を照らすための画像ディスプレイ装置。
【請求項１１】
前記光源に連結され、前記スポークを支持している取り付け基部を更に備えている、請求項９に記載の画像を照らすための画像ディスプレイ装置。
【請求項１２】
前記スポークは前記取り付け基部とねじ係合している、請求項１１に記載の画像を照らすための画像ディスプレイ装置。
【請求項１３】
前記取り付け基部は、ロックナットで前記光源に連結されている、請求項１１に記載の画像を照らすための画像ディスプレイ装置。
【請求項１４】
画像を照らすための画像ディスプレイ装置において、
前記画像ディスプレイ装置が前方に作動的に支持されている光源からの光を拡散させるための、約５０パーセント（５０％）の光の透過率を有する半透明のポリエステルシートと、
透明なポリエステルシートであって、前記半透明のポリエステルシートの下縁部を支持するために折り返されている前記透明なシートの下側伸張部により形成される折り返しで連結されているポリエステルシートと、を備えており、
前記半透明なシートと前記透明なシートは、前記画像を挿入し、引き出す間隙を、両者の間に画定しており、
前記折り返しは、前記画像が前記半透明のシートと前記透明なシートの間を通って前記折り返しを通り過ぎることのないよう保証しており、更に
前記光源にロックナットで連結されている取り付け基部と、
前記取り付け基部とねじで係合され、前記半透明なシートと前記透明なシートを支持している支持体であって、前記半透明なシートと前記透明なシートに連結されているスポークを有している支持体と、を備えており、
前記半透明なシートと前記透明なシートは、一部分が、前記スポークに選択可能に連結できるスリーブとして形成されており、
画像が、前記第１内側層と前記第２外側層の間に配置され、前記光源によって照らされるように構成されている、画像を照らすための画像ディスプレイ装置。
【請求項１５】
画像を照らすための画像ディスプレイ装置において、
画像ディスプレイ装置が前方に作動的に支持されている光源からの光を拡散させるための第１層であって、一般的には静電荷の担体なので、静電荷が前記第１内側層によって顕在化することになる第１層を備えており、
画像が、前記第１層の上に配置され、静電引力によってその上に保持され、前記光源によって照らされるように構成されている、画像を照らすための画像ディスプレイ装置。
【請求項１６】
前記第１層は半透明である、請求項１５に記載の画像を照らすための画像ディスプレイ装置。
【請求項１７】
前記第１層に隣接する第２外側透明層を更に備えており、前記画像は、前記第１層と前記第２層の間に保持されている、請求項１５に記載の画像を照らすための画像ディスプレイ装置。
【請求項１８】
前記第２外側透明層は、一般的には静電荷の担体なので、静電荷が前記第２外側透明層によって顕在化することになり、
画像が、前記第１層と前記第２外側透明層の間に配置され、静電引力によって両者の間に保持され、前記光源によって照らされるように構成されている、請求項１７に記載の画像を照らすための画像ディスプレイ装置。
【請求項１９】
画像を照らすための画像ディスプレイ装置システムにおいて、
光源の下の台に固定できるようになっており、前記光源を前記台に取り付ける際に通す開口部を画定している取り付け基部と、
前記取り付け基部に連結され、そこから外方向に伸張している支持部と、
前記支持部に連結されており、画像を支持することのできる半透明の面と、を備えており、
画像が、前記光源によって照らすために、前記半透明の面に取り付けられるように構成されている、画像を照らすための画像ディスプレイ装置システム。
【請求項２０】
前記取り付け基部は、前記支持部を受け入れるねじ付きソケットを更に備えている、請求項１８に記載の画像を照らすための画像ディスプレイ装置システム。
【請求項２１】
前記支持部は、
前記取り付け基部にねじ係合するねじ付き係合部分と、
前記ねじ付き係合部分に連結され、そこから外方向に伸張している外方向伸張部分と、
前記外方向伸張部分に連結され、前記光源から離れている前記半透明の面を支持している前方向突出部分と、を更に備えている、請求項１９に記載の画像を照らすための画像ディスプレイ装置システム。
【請求項２２】
前記外方向突出部分は、
前記ねじ付き係合部分に連結されている横方向突出部分と、
前記横方向突出部分に連結されており、前記横方向突出部分から後方向且つ外方向に伸張している後方向突出部分と、を更に備えており、
前記支持部は前記半透明の面を前記光源から離して保持している、請求項２１に記載の画像を照らすための画像ディスプレイ装置システム。
【請求項２３】
前記半透明の面は、
前記光源からの光を拡散する第１の内側半透明層と、
最小の拡散又は不透過率で光を透過させる第２の外側透明層と、を更に備えており、
前記半透明層と前記透明層は、第１下端部で連結され、画像を受けるように作られているので、
前記画像を、前記半透明層と前記透明層の間に滑り込ませて両者に保持させ、前記半透明層によって拡散された光によって照らすことができるように構成されている、請求項１９に記載の画像を照らすための画像ディスプレイ装置システム。
【請求項２４】
画像を照らすための画像ディスプレイ装置システムにおいて、
光源の下の台に固定できるようになっている取り付け基部であって、
前記取り付け基部は、前記光源を前記台に取り付ける際に通す開口部と、ねじ付きソケットを画定しており、
前記開口部は、前記スタンドの回りに嵌合する差し込み開口部であり、前記取り付け基部は、前記外側差し込み穴を係合させることによって前記台に固定されるよう構成されている取り付け基部と、
前記支持部に連結されており、画像を支持することができる半透明の面であって、
前記光源からの光を拡散させる第１の内側半透明層と、
最少の拡散又は不透過率で光を透過させる第２の外側の透明層と、を有しており、
前記半透明層と前記透明層は、第１下端部で連結されており、画像を、前記半透明層と前記透明層の間に滑り込ませて両者に保持させ、前記半透明層によって拡散された光によって照らすことができるように、前記画像を受けることができるように構成されている半透明の面と、
前記ねじ付きソケットをねじ係合することによって前記取り付け基部に連結され、そこから外方向に伸張している支持部であって、
前記取り付け基部とねじ係合しているねじ付き係合部分と、
前記ねじ付き係合部分に連結されており、そこから外方向に伸張している外方向伸張部分であって、
前記ねじ付き係合部分に連結されている横方向突出部分と、
前記横方向突出部分に連結されており、前記支持部が前記半透明の面を前記光源から離して保持するように、前記横方向突出部分から後方向且つ外方向に伸張している後方向突出部分と、を有している外方向伸張部分と、
前記外方向伸張部分に連結されており、前記半透明層を前記光源から離して支持している前方向突出部分と、を含んでいる支持部と、を備えており、
画像を前記半透明画像ディスプレイ装置に取り付けて、前記光源で照らすように構成されている、画像を照らすための画像ディスプレイ装置システム。
【発明の詳細な説明】
【技術分野】
【０００１】
本発明は、ランプシェードを含む画像ディスプレイ装置とその関連装置に関しており、厳密には、ランプシェードに保持されている交換可能な画像を照らすことができる、ランプシェードの形態を取っている画像ディスプレイ装置に関する。
【背景技術】
【０００２】
ランプシェードのような画像ディスプレイ装置は、光を拡散し、柱に取り付けられているか又は天井からぶら下がっている単一の裸電球よりも魅力的な外観を提供するために、白熱電球の様な照明源を覆うのに用いられている。そのようなランプシェードは、部屋又はそれらが使われる環境に装飾性を加えるために、本来は一般的に装飾的で美しい。
【０００３】
一般的に、ランプシェードのような画像ディスプレイ装置は、ランプシェードの有効寿命が終わるまで、ランプを覆うのに用いられる意匠が１つだけである点で、本来静的なものである。ランプシェードは取り替えることもできるが、ランプは、ランプシェードと組み合わせてセットで販売されることが多く、２つは、一般的に、ランプとシェードの組み合わせの有効寿命の間、一緒に使われる。
【０００４】
ランプシェードは、大抵は、電球か光源の両側の上方向に伸張するハープに取り付けられている。これによって、ランプシェードは、ハープに支えられ、光源を覆って垂下し、光を拡散できるようになる。代わりに、軽量のランプシェードにクリップを付けて、白熱電球に直接クリップすることもあり、その場合のクリップは、一般的に、ガラスの白熱電球の作用と保全性に悪影響を与えることなく、ランプシェードの重量を支持できるだけの２本の細い柔軟性のあるワイヤーである。先行技術の中には、ランプシェードに選択可能な画像の使用を組み合わせる試みをしているものもある。
【０００５】
Ｂｕｚｉｃｋ他による米国特許第２，１７７，２０４号は、ランプシェードの絵画ディスプレイパネルを教示しており、コラム１は、ランプシェードは２つのプライ材料で構成され、外側プライは透明で、内側プライは半透明であり、シェードには細孔が設けられていて、絵などを配置できるようになっていることを開示している。
【０００６】
Ｌｅｗｉｓによる米国特許第２，６８０，３１７号は、装飾的なランプシェードに向けられており、窓飾り２０を有するランプシェードを採用している。それは、背景板２１の面に接着又は他の適切な方法で取り付けられ、絵画的なプリントエッチングなどの様なシート状の芸術品２２として窓飾り２０を通して呈示される。
【０００７】
Ｗｉｌｌａｒｄによる米国特許第２，８２３，４７７号は、不透明又は半透明の材料を有し、その後ろに半透明又は透明な材料の絵又は色付きパネルが取り付けられているランプシェードを教示している。
【０００８】
Ｅｓｃｈｅｎｒｏｅｄｅｒによる米国特許第２，９７４，４３５号は、光源に隣接して配置されている半透明材料の内側壁と、概ね不透明で、１つ又は複数の透明な画像ディスプレイ窓を有する外側壁とを備えており、画像付のシートが、両壁の間に窓と整列して取り外し可能に取り付けられるようになっている、分離可能な二重壁構造のランプシェードに向けられている。
【０００９】
アンダーソンによる米国特許第４，１６３，９９８号は、ランプシェードの内側表面に相対して配置されている少なくとも部分的には透明な内側及び外側のシートの間に取り付けられている絵を表示する、窓開口部を備えて形成されているランプシェードに向けられている。
【００１０】
Ｇｌｕｓｃｈｋｉｎによる米国特許第３，４５６，１０６号は、装飾又は情報付の部材を受け入れることのできる円錐台形のランプシェードに向けられている。
当該技術では、この他にも各種試みが行われているが、本発明に関係が深いのは上記各特許であると考えられる。
【００１１】
画像を選択可能に配置できるランプシェードを提供することは有用であり、技術に寄与することになる。点灯すると、光は、ランプシェードの性質上、配置されている画像を照らす。このことは、ランプシェードを美的に用いて、部屋の装飾に加え、各個人が、時間の経過に伴い、好みに従って、ランプシェードの特性及び／又は形態を変更できるようにする追加手段を提供する。
【特許文献１】米国特許第２，１７７，２０４号
【特許文献２】米国特許第２，６８０，３１７号
【特許文献３】米国特許第２，８２３，４７７号
【特許文献４】米国特許第２，９７４，４３５号
【特許文献５】米国特許第４，１６３，９９８号
【特許文献６】米国特許第３，４５６，１０６号
【発明の開示】
【００１２】
先行技術として現存している既知の型式の画像ディスプレイ装置及びランプシェードに固有の上記欠点に鑑み、本発明は、人々が、照明に関して任意に或る画像を選択できるようにする新しい画像ディスプレイ装置を提供する。
【００１３】
以下詳細に説明する本発明の全般的な目的は、ランプシェードをより装飾的で相互作用的にする独特で画期的な手段を提供することである。更に、ランプシェードは、照らす画像を選択できるという性質により、部屋の装飾に更に機動的な役割を有することになる。本発明のランプシェードの多くの利点と特徴の故に、先行技術によるランプシェードを１つだけ取り上げようが、或いは何らかの合理的的組み合わせで取り上げようが、先行技術によるランプシェードが、本発明を、予測させ、自明のこととし、示唆し、或いは暗示することすらない。
【００１４】
本発明では、ランプシェードの支持部をねじ込み式で取り付ける基部を提供するのに、取り付け基部が用いられている。取り付け基部は、中央開口部を介してランプスタンドと係合する。
【００１５】
支持部は、取り付け基部から外向きに伸張し、最終的にはランプと概ね平行に、立ち上がるか、又は、下に進む。これらの支持部は、突き出ている支持部に嵌合する折り畳み又はループ有する半透明のランプシェードに対し支持部を提供している。
【００１６】
ランプシェード自体は、概略、光を拡散するが透過させる半透明層と、光の遮蔽が最小限である透明な層の２つの層を有している。半透明の層と透明な層は、その下縁部で接続され、画像が、半透明層と透明層の間を通ることはできるが、２つの層の間の付属物によって、滑って通り過ぎることがないようになっている。
【００１７】
白熱電球又は他の光源は、起動して輝いているとき、先ず半透明層を照らし、半透明層が、光を拡散して中にある光源をぼやかし、魅力的な外観にする。次いで、拡散された光は、画像に向かい、透明層を通過して、ランプシェードを視ている人に画像が明確に見えるようになる。写真、広告又は情報を含め様々な画像を、本発明のランプシェードと組み合わせて使用することができる。その結果、各人が、自分の部屋、アパート、及び／又は家を、本発明のランプシェードを組み込んだランプで飾ることができ、公共の場所でも、情報伝達及び情報発信の目的で、本ランプシェードを使用できるようになる。
【発明を実施するための最良の形態】
【００１８】
以下、添付図面に関連付けて述べる詳細な説明は、本発明の目下の好適な実施形態を説明するものであり、本発明を構成及び／又は利用する唯一の形態を表しているものではない。以下の説明では、本発明を構築し作動させるための機能と段階の順序について、図示の実施形態と関連付けて述べている。しかしながら、それと同じか又は等価な機能及び順序は、本発明の精神及び範囲内に含まれることになる別の実施形態によっても実現することができるものと理解頂きたい。
【００１９】
図に示すように、本発明の画像ディスプレイ装置は、ランプを使用して、ランプシェードに保持されている絵に照明を提供する照明式絵画ランプで具現化されている。本発明の画像ディスプレイ装置は、その最も一般的な形態では、付帯する画像を照らすために、光源が輝いて透過する半透明のシートを備えている。或る好適な実施形態では、本発明の画像ディスプレイ装置は、ランプのランプシェードの形態を取っている。代わりに、本発明の画像ディスプレイ装置を、窓、壁のディスプレイなどに使用することもできる。
【００２０】
「画像ディスプレイ装置」と「ランプシェード」という用語は、本発明の画像ディスプレイ装置の目下好適な実施形態がランプシェードなので、ここでは交換可能に用いられている。しかしながら、ここに開示している画像ディスプレイ装置は、ランプシェードの実施形態に限定されるものではなく、当業者には理解頂けるように、様々な他の実施形態に適用することができる。本発明の画像ディスプレイ装置を、ランプシェード以外の実施形態に実施する場合は、或る種の構造的な調整が必要になるかもしれない。しかしながら、これらの実施及び付帯する構造的な調整は、過度の実験なしに達成することができる。
【００２１】
本発明の絵画ランプ１００は、柱又は支持部１０４を概ね中心に配置した基部又は台座１０２を有している。柱１０４は、ランプ基部１０８、スイッチ１１０及び白熱電球又は他の光源１１２を含むランプ光源１０６を支持している。
【００２２】
ランプ１００は、ここでは直立状態で示しているが、天井から吊り下げてもよいし、壁から外向きに突き出すように支持してもよい。各要素間の相対的な方向及び位置関係は、概ね、配置又はランプ１００に関わらず維持される。
【００２３】
本発明は、支持部１２２が通常ねじ込むことによって取り付けられている取り付け基部１２０を備えている。ランプシェード１２４は、支持部１２２によって、嵌め合いなどで取り付け基部１２０に取り付けられている。図１に示すように、ランプシェード１２４のスリーブ、ループ又は伸張しているシリンダ１２６は、支持部１２２の前方向への突出部分１２８と係合するために形成されている。白熱電球１１２に関して言えば、前方向への突出部分１２８は、白熱電球１１２の上部に対して、ここでの説明の都合上、白熱電球１１２の後方と考えられるランプ基部１０２の反対側に前方向に突出している。
【００２４】
図１に示すランプシェード１２４は、概ね四角形で長方形の形状をしているが、本発明を達成するのに何角形を用いてもよい。
図２及び図３は、ランプシェード１２４の２つの関連する層を詳しく示している。２つの層の間の間隔は、本発明を例示するため、誇張して示している。ランプシェード１２４は、一般的に、白熱電球１１２から放射される光を拡散する働きをする内側の半透明層１４０を有している。外側の透明層１４２は、内側の半透明層１４０と、内側の半透明層１４０と外側の透明層１４２の間に配置されている画像１４４と、によって拡散された光を透過させる働きをする。画像１４４を中に入れる様子を、本発明の照明式絵画ランプ１００で照明するために人が画像１４４を手で挿入している図２及び図３に示している。
【００２５】
画像１４４の位置ずれ又は滑落を防ぐために、内側の半透明層１４０と外側の透明層１４２は、底部で連結又は接続されている。図３において、接続部１４６は、外側の透明層１４２の伸張部分を折り返して、内側の半透明層１４０と外側の透明層１４２の間の間隙１４８の下にバリヤーを形成する折り返しによって実現されている。外側の透明層１４２の伸張部分を示すテール又は伸張部１５０を、図２と図３に示している。
【００２６】
代わりに、静電引力を利用して、画像を半透明層と透明層の間に付着させ又は保持してもよい。その場合、底部の折り返し１５０を省くことができる。更に、そのような静電引力を使えば、透明層１４２を完全に省くこともできる。
【００２７】
図４及び図５に示すように、取り付け基部１２０は、普通は四角形又は円形であり、一般的には、白熱電球１１２より下の所定の位置に、ロックナット１６０などで取り付けられる。ロックナットは、取り付け基部１２０を所定の位置に保持する働きをし、中央開口部１６２を通して取り付け基部１２０と係合する。中央開口部１６２は、外側挿入孔１６４を有しており、その中にロックナット１６０を嵌め込む。小さな穴１６６を使って、取り付け基部１２０を、ランプ基部１０８の上側部分に取り付け、その上にロックナット１６０を取り付け、白熱電球１１２をソケットにねじ込む。
【００２８】
取り付け基部１２０は、その周囲に適切に間隔を開けて配置されている一連のねじ付き穴１７２を有している。ねじ付き穴１７２は、支持部１２２（図６）の近位の同様にねじ山が付いている端部と係合する働きをする。ねじ部は、約四分の三インチであり、ランプシェード１２４を適切に保持するために、支持部１２２が白熱電球１１２に対して適切に配置されるように配置されている。
【００２９】
支持部１２２は、外方向伸張部分１７６を有しており、これにより支持部を突き出して取り付け基部１２０から離すことができるようになっている。外方向伸張部分は、支持部１２２が取り付け基部１２０から離れてゆく際に、外向き横方向１７８、そして後方１８０に突き出る。後方伸張部分１８０は、横方向伸張部分及び同軸のねじ付き支持端部１７４と約４５°の角度を成している。次いで、前方伸張部分１２８は、後方伸張部分１８０と約４５°の角度を成している。この様に、後方伸張部分１８０は、ランプシェードが、白熱電球１１２への視線より下に下がることができるようにして、本発明のランプシステム１００に良好で魅力的な視覚的外観を提供している。
【００３０】
本発明の構造は、様々な材料を使用することもできるが、以下の材料
約５０％の光透過率を有する１１”ｘ４４”バックライト／半透明ポリエステル平面シートと、
一枚の１１”ｘ４４”透明ポリエステル平面シートと、を使えば実現できる。
ポリエステルシートは、所望の形状を実現するために、内向き又は外向きに湾曲させてもよいし、刻み目を付けるか折ってもよい。シート１４０、１４２の底部にスリーブ１２６及び／又は接続部１４６を作るために、折り返し、音波溶接、縫合又は熱融合を用いてもよい。
【００３１】
電球ソケットは、ランプシェード構造体を保持するための雌ねじ付きリング用の雄ねじが付いた、標準的な３／８”ねじ付き底の電球ソケットである。引っ張り又は回転式スイッチも使用できる。
【００３２】
支持部１２２は、直径約１／８” 長さ約１７インチの金属ロッドで作られている。一方の先端には、同じ端部に、高さ約８／３２” 長さ約１インチのねじが切られている。次に、横方向伸張部分１７８と後方伸張部分１８０の間を区別するために、金属ロッドに４５°の曲げが設けられている。これにより、支持部１２２の近位のねじ付き端部から約４インチの横方向伸張部ができる。後方伸張部分１８０は、長さが約３インチである。
【００３３】
支持部１２２の残りの直立している前方突出部分１２８は、長さが約１０インチで、１３５°の角度で曲げられ、後方伸張部分１８０と前方伸張部分１２８の間に、約４５°の相対角度が形成されている。ロッドは、金属を保護し、美的又は魅力的な外観を提供するために、適切に塗装されている。
【００３４】
取り付け基部１２０は、約３インチ平方の、厚さ約１／４”のポリカーボネート素材で作られている。中央穴は、直径が約１−３／８”であり、約２−３／１６”で、板の厚さが約１／８”に薄くなっている随意の中央外側差し込み孔１６４を備えている。ねじ付き穴１７２は、約６／３２”のねじが、四角形の板の各角部の中に約１インチ伸張している。図４に示すように、各側面は、最終的におおよそ八角形となるように仕上げられ、切断されている。
【００３５】
本発明は、様々な床、テーブル、天井及び壁ランプと共に使用することができるが、ランプの１つは以下のように提供される。
中央ランプ柱又は支持部１０４は、直径が３／４”で厚さが約１／１６”の四角形又は丸い管である。管は、切断され、約８／３２”のねじ付き穴が内部に形成されるように仕上げられる。
【００３６】
基部又は台座１０２には、厚さ１／４”から１”の、ランプ１００を支持できるだけの重さがある中実のアルミニウム棒が用いられる。
ここで使用している「画像」という用語は、概ね、印刷物、絵、エッチング、すかし模様、透明画、写真、広告及び情報を含む画像付の光透過材料のことである。
【００３７】
ランプシェードは独特な構成で単純なので、片手で、１つの操作、即ち画像を押し込んだり引き出したりするだけで、ディスプレイ内の画像を配置し、交換することができる。また、部品の分解と組み立ても容易にできるので、梱包寸法も小さくなり、搬送費用が低減され、購入者はツールを使用せず早く簡単に組み立てることができるばかりでなく、ランプシェード本体内のハードウェアを側方視角から容易に隠すことができる。
【００３８】
以上、本発明を特定の実施形態に関して説明してきたが、本発明の概念から逸脱することなく、本発明の追加的変形版を工夫できることは理解頂けよう。
また、本発明を、好適な実施形態又は特定の実施形態に関連付けて説明してきたが、本発明の範囲又は本発明の概念から逸脱することなく、様々な変更を行い追加的変形版を作り、各要素を等価物で置き換えることができる旨理解頂きたい。更に、本発明の基本的な範囲から逸脱することなく、特定の状況又は材料を本発明の教示に適合させるため多くの修正を加えることもできる。従って、本発明は、本発明を実施するためにここに開示している特定の実施形態に限定されるものではなく、本発明は、特許請求の範囲に述べる内容に該当する全ての実施形態を含むものである。
【産業上の利用可能性】
【００３９】
本発明の目的は、画像を明確に映し出すランプシェードを提供することである。
本発明の別の目的は、安価に製造できる画像照明ランプシェードを提供することである。
【００４０】
本発明の更に別の目的は、容易に製造できる画像照明ランプシェードを提供することである。
本発明の更に別の目的は、容易に実用化できる画像照明ランプシェードを提供することである。
【００４１】
本発明の更に別の目的は、映し出される画像を手軽に交換できる画像照明ランプシェードを提供することである。
本発明の更に別の目的は、様々な画像、及び画像フォーマット、寸法、又はスタイルを受け入れることのできる画像照明ランプシェードを提供することである。
【００４２】
本発明のこれ等及びこの他の目的、利点及び産業上の利用法は、明細書と図面を見れば明らかであろう。
【図面の簡単な説明】
【００４３】
【図１】ランプシェードの形態をした本発明の画像ディスプレイ装置を組み込んだランプの、等角部分破断図である。
【図２】画像をランプシェードへ差し込んでいる状態を示す、図１の照明式絵画ランプで具現化されている画像ディスプレイ装置の上面図である。
【図３】これも画像をランプシェードへ差し込んでいる状態を示す、図２の照明式絵画ランプの側立面図である。
【図４】本発明で用いられている取り付け基部の上面部分断面図である。
【図５】図４に示した取り付け基部の側面部分断面図である。
【図６】特に図１及び図３に示したランプシェードを支持するのに用いられている支持部の側立面図である。
【図１】
2005527949.tif 000003
【図２】
2005527949.tif 000004
【図３】
2005527949.tif 000005
【図４】
2005527949.tif 000006
【図５】
2005527949.tif 000007
【図６】
2005527949.tif 000008
【国際調査報告】
2005527949.tif 000009